(57)【要約】      （修正有）【課題】ゴミ袋を携帯するときに，ゴミ袋をコンパクトな大きさで収納することができ，使用者がゴミ袋を任意の大きさに切断することが可能な携帯用ゴミ袋収納容器を提供すること。【解決手段】本体１の上部開口の一側に刃の固定部２が設けられ，上記刃の固定部２の上端部に形成された切り欠き部３の内部側に刃４が装着され，上記本体１の上記上部開口の他側に，孔５と，上記孔の上側に掛け部６とが形成され，上記本体の内部に巻物状に巻回されて収納されたゴミ袋７の一端が，上記孔５を通じて引き出され，上記掛け部６に固定される。【選択図】図２
0003117714.tif 000002
【実用新案登録請求の範囲】
【請求項１】
本体の上部開口の一側に刃の固定部が設けられ，前記刃の固定部の上端部に形成された切り欠き部の内部側に刃が装着され，
前記本体の前記上部開口の他側に，孔と，前記孔の上側に掛け部とが形成され，
前記本体の内部に巻物状に巻回されて収納されたゴミ袋の一端が，前記孔を通じて引き出され，前記掛け部に固定されることを特徴とする，携帯用ゴミ袋収納容器。
【考案の詳細な説明】
【技術分野】
【０００１】
本考案は，ゴミ袋を携帯しながら，たとえば，愛玩犬等のペットや赤ん坊の排泄物，飲食物のゴミなどを処理しなければならない緊急な状況で，非常に便利に使用することができるように考案された携帯用ゴミ袋収納容器に関する。
【背景技術】
【０００２】
従来は，ゴミ袋を所定の保管場所に保管しておくことが必要であった。そして，外出時など，使用者がゴミ袋を必要とするときには，ゴミ袋だけを別途に携帯して使用することが必要であった。
【考案の開示】
【考案が解決しようとする課題】
【０００３】
そこで，本考案は，上記問題に鑑みてなされたもので，その目的は，ゴミ袋を携帯するときに，ゴミ袋をコンパクトな大きさで収納することができ，使用者がゴミ袋を任意の大きさに切断することが可能な，新規かつ改良された携帯用ゴミ袋収納容器を提供することにある。
【課題を解決するための手段】
【０００４】
上記課題を解決するために，本考案のある観点によれば，本体の上部開口の一側に刃の固定部が設けられ，上記刃の固定部の上端部に形成された切り欠き部の内部側に刃が装着され，上記本体の上記上部開口の他側に，孔と，上記孔の上側に掛け部とが形成され，上記本体の内部に巻物状に巻回されて収納されたゴミ袋の一端が，上記孔を通じて引き出され，上記掛け部に固定されることを特徴とする，携帯用ゴミ袋収納容器が提供される。
【０００５】
かかる構成により，ゴミ袋を携帯しながら，愛玩犬等のペットや赤ん坊の排泄物，飲食物のゴミなどを処理しなければならない状況で，使用者が任意の大きさでゴミ袋を切断して使用することができる。また，ゴミ袋を巻物状に巻回して収納するので，携帯用ゴミ袋収納容器の大きさをコンパクトにすることができる。
【考案の効果】
【０００６】
以上説明したように，本考案によれば，ゴミ袋を携帯するときに，ゴミ袋をコンパクトな大きさで収納することができ，使用者がゴミ袋を任意の大きさに切断することができる。
【考案を実施するための最良の形態】
【０００７】
以下に添付図面を参照しながら，本考案の好適な実施の形態について詳細に説明する。なお，本明細書および図面において，実質的に同一の機能構成を有する構成要素については，同一の符号を付することにより重複説明を省略する。
【０００８】
（第１の実施形態）
まず，本考案の第１の実施形態にかかる携帯用ゴミ袋収納容器について説明する。本体１の上部開口の一側には，刃の固定部２が形成される。刃の固定部２の上端部には切り欠き部３が設けられ，刃の固定部２の内部側には刃４が装着される。本体１の上部開口の他側には孔５が設けられ，孔５の上側には掛け部６が形成される。本体１に収納された既存のゴミ袋７は孔５に通されて，本体１の外部へ引き出される。さらに，ゴミ袋７は掛け部６に固定される。
【０００９】
刃の固定部２の切り欠き部３は，刃４が露出されるように形成されることができる。刃４は，本体１の上部開口の端部より下側に設けることができ，ゴミ袋７を切断する際，引っ掛けることができるような構成とすることができる。また，刃４は，２枚の板状部材に挟むことによって，固定することができる。刃４の刃側は，本体１の上部開口側に向けて設置される。
【００１０】
掛け部６は，本体１の上部開口の端部から切り欠きされて形成されており，ゴミ袋７が固定されるように，上記端部側の切り欠きの間隔は狭く，下側は広くなるように形成されることができる。孔５は，ゴミ袋７を通しやすい大きさとすることができ，たとえば，円形状の孔とすることができる。
【００１１】
また，既存のゴミ袋７が，じゃがいもやとうもろこしを利用した天然材質で製造される場合には，環境汚染を防ぐことができる。
【００１２】
かかる構成により，本実施形態において，ゴミ袋７は，本体１の内部に巻物状に巻回されて収納される。巻物状とすることで，ゴミ袋収納容器の大きさをコンパクトにすることができ，本体１の大きさに比べて収容できるゴミ袋の量を増やすことができる。巻物状に巻回されたゴミ袋７の中心から，ゴミ袋７の一端を引き出し，ゴミ袋７の端部は，孔５に通された後，掛け部６に固定される。
【００１３】
使用者がゴミ袋７を使用するときは，掛け部６に固定されているゴミ袋７を使用者が望む長さだけ引き出して，刃４によってゴミ袋７を切断する。
【００１４】
ゴミ袋７は，たとえば，円筒状のビニルとすることができる。切断されたゴミ袋７の一端部を使用者が結ぶことによって袋状にすることができ，ゴミ袋７にゴミを捨てることができる。
【００１５】
また，本体１の左側面と右側面のうちいずれか一つの側面は，超音波接合８によって強く接合するとすることができる。
【００１６】
ゴミ袋を携帯しながら，愛玩犬等のペットや赤ん坊の排泄物，飲食物のゴミなどを処理しなければならない状況で，使用者が任意の大きさでゴミ袋を切断して使用することができるという非常に便利な使用をすることが可能な携帯用ゴミ袋収納容器を提供することができる。また，ゴミ袋を巻物状に巻回して収納するので，携帯用ゴミ袋収納容器の大きさを小さくすることができ，ポケットにも入れられる大きさとすることで，使用者に使用上の便宜を提供する。
【００１７】
以上，添付図面を参照しながら本考案の好適な実施形態について説明したが，本考案はかかる例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００１８】
本考案は，携帯用ゴミ袋収納容器に適用可能である。
【図面の簡単な説明】
【００１９】
【図１】本考案の実施形態にかかる携帯用ゴミ袋収納容器の構成を示した斜視図である。
【図２】本考案の実施形態にかかる携帯用ゴミ袋収納容器の使用状態を示した斜視図である。
【図３】本考案の実施形態にかかる携帯用ゴミ袋収納容器の全体の縦断面を示した断面図である。
【符号の説明】
【００２０】
１      本体
２      刃の固定部
３      切り欠き部
４      刃
５      孔
６      掛け部
７      ゴミ袋
８      超音波接合部
【図１】
0003117714.tif 000003
【図２】
0003117714.tif 000004
【図３】
0003117714.tif 000005